(57)【要約】【課題】衝撃が加えられたとしてもその破損を防ぐことができ、良好な肌触りを有し、長期間衛生的に使用することができる吸水・脱臭材を提供する。【解決手段】吸水・脱臭材１０Ａは、珪藻土を粒状に粉砕した吸水性及び脱臭性を有する珪藻土顆粒と珪藻土を粉状に粉砕した吸水性及び脱臭性を有する珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分と、通気性及び透湿性並びに透水性を有して所定量の第１成分と所定量の第２成分とを混合した状態で収納した収納袋とから形成されている。吸水・脱臭材１０Ａでは、第１成分と第２成分との全重量に対する第１成分の重量割合が８７％〜９３％の範囲にあり、第１成分と第２成分との全重量に対する第２成分の重量割合が７％〜１３％の範囲にある。【選択図】図１
2019188356.tif 000002
【特許請求の範囲】
【請求項１】
珪藻土を粒状に粉砕した吸水性及び脱臭性を有する珪藻土顆粒と前記珪藻土を粉状に粉砕した吸水性及び脱臭性を有する珪藻土粉末とのうちの少なくとも一方からなる第１成分と、ミョウバン粉末と酸化亜鉛粉末と酸化銀粉末と酸化チタン粉末とのうちの少なくとも前記ミョウバン粉末からなる第２成分と、通気性及び透湿性並びに透水性を有して所定量の前記第１成分と所定量の前記第２成分とを混合した状態で収納した収納袋とから形成された吸水・脱臭材。
【請求項２】
前記収納袋に収納された前記第１成分と前記第２成分との全重量に対する該第１成分の重量割合が、８７％〜９３％の範囲にあり、前記収納袋に収納された前記第１成分と前記第２成分との全重量に対する該第２成分の重量割合が、７％〜１３％の範囲にある請求項２に記載の吸水・脱臭材。
【請求項３】
前記吸水・脱臭材が、粒状のシリカエアロゲル顆粒と粉状のシリカエアロゲル粉末とのうちの少なくとも一方からなる第３成分を含み、前記吸水・脱臭材では、前記第１成分と前記第２成分と前記第３成分とが混合された状態で前記収納袋に収納されている請求項１または請求項２に記載の吸水・脱臭材。
【請求項４】
前記収納袋に収納された前記第１成分と前記第２成分と前記第３成分との全重量に対する該第１成分の重量割合が、７２％〜８３％の範囲にあり、前記収納袋に収納された前記第１成分と前記第２成分と前記第３成分との全重量に対する該第２成分の重量割合が、７％〜１３％の範囲にあり、前記収納袋に収納された前記第１成分と前記第２成分と前記第３成分との全重量に対する該第３成分の重量割合が、１０％〜１５％の範囲にある請求項３に記載の吸水・脱臭材。
【請求項５】
前記収容袋が、通気性、透湿性、透水性を有する繊維不織布から作られた不織布袋と、通気性、透湿性、透水性を有する和紙から作られた和紙袋とのうちの少なくとも一方である請求項１ないし請求項４いずれかに記載の吸水・脱臭材。
【請求項６】
前記吸水・脱臭材が、床に敷かれるバスマット、タオル、玄関に敷かれる玄関マットのうちのいずれかとして使用される請求項１ないし請求項５いずれかに記載の吸水・脱臭材。
【請求項７】
前記バスマット及び前記タオル並び前記玄関マットでは、それらが使用者の肌に付着した水分や水滴を吸収したときに、前記ミョウバン粉末がミョウバン水溶液に変化して前記収容袋の外面に滲出し、前記ミョウバン水溶液が前記使用者の肌に付着し、または、前記使用者の肌が前記バスマット及び前記タオル並び前記玄関マットに接触したときに、前記ミョウバン粉末が前記収容袋の外面に漏出し、前記ミョウバン粉末が前記使用者の肌に付着する請求項６に記載の吸水・脱臭材。
【発明の詳細な説明】
【技術分野】
【０００１】
本発明は、吸水・脱臭材に関する。
【背景技術】
【０００２】
珪藻土の粉体または粒体に粘土分を含む土をバインダとして適量添加するとともに、適度の水分を含有する砂を混合してこれを所定形状に成形し、その成形品を型内において加熱焼成時間：約５〜２０分、加熱焼成温度：約９００℃で焼成することによって砂の水分を高温ガス化して拡散させ、拡散力にて成形品を膨張させて高密度化する珪藻土製成形品の製造方法が開示されている（特許文献１参照）。前記製造方法によって製造された成型品は、水分を吸収するバスマットやコースターとして利用される。
【先行技術文献】
【特許文献】
【０００３】
【特許文献１】特開２００１−２２０２６４号公報
【発明の概要】
【発明が解決しようとする課題】
【０００４】
前記特許文献１に開示の製造方法によって製造された成型品は、所定の硬度に焼成された固形物であり、柔軟性がなく、所定の衝撃が加えられると、破損する場合があるとともに、感触が硬く、その肌触りが悪いという問題がある。また、成型品を作るには、珪藻土にバインダと適度の水分を含有する砂とを混合して所定形状に成形しつつ、所定の加熱焼成温度で所定時間焼成しなければならず、その製造に手間と時間とを要する。また、使用によって成型品に雑菌が付着した場合、その雑菌の繁殖を防止することやその雑菌を死滅させることはできず、雑菌が繁殖して長期間衛生的に使用することができない。
【０００５】
本発明の目的は、衝撃が加えられたとしてもその破損を防ぐことができ、良好な肌触りを有し、不快な感触を与えることがない吸水・脱臭材を提供することにある。本発明の他の目的は、その製造に手間と時間とを要せず、容易に製造することができる吸水・脱臭材を提供することにある。本発明の他の目的は、雑菌が繁殖することはなく、長期間衛生的に使用することができる吸水・脱臭材を提供することにある。
【課題を解決するための手段】
【０００６】
前記課題を解決するための本発明に係る吸水・脱臭材は、珪藻土を粒状に粉砕した吸水性及び脱臭性を有する珪藻土顆粒と珪藻土を粉状に粉砕した吸水性及び脱臭性を有する珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分と、通気性及び透湿性並びに透水性を有して所定量の第１成分と所定量の第２成分とを混合した状態で収納した収納袋とから形成されている。
【０００７】
本発明の一例としては、収納袋に収納された第１成分と第２成分との全重量に対する第１成分の重量割合が８７％〜９３％の範囲にあり、収納袋に収納された第１成分と第２成分との全重量に対する第２成分の重量割合が７％〜１３％の範囲にある。
【０００８】
本発明の他の一例としては、吸水・脱臭材が粒状のシリカエアロゲル顆粒と粉状のシリカエアロゲル粉末とのうちの少なくとも一方からなる第３成分を含み、吸水・脱臭材では、第１成分と第２成分と第３成分とが混合された状態で収納袋に収納されている。
【０００９】
本発明の他の一例としては、収納袋に収納された第１成分と第２成分と第３成分との全重量に対する第１成分の重量割合が７２％〜８３％の範囲にあり、収納袋に収納された第１成分と第２成分と第３成分との全重量に対する第２成分の重量割合が７％〜１３％の範囲にあり、収納袋に収納された第１成分と第２成分と第３成分との全重量に対する第３成分の重量割合が１０％〜１５％の範囲にある。
【００１０】
本発明の他の一例としては、収容袋が通気性、透湿性、透水性を有する繊維不織布から作られた不織布袋と、通気性、透湿性、透水性を有する和紙から作られた和紙袋とのうちの少なくとも一方である。
【００１１】
本発明の他の一例としては、吸水・脱臭材が床に敷かれるバスマット、タオル、玄関に敷かれる玄関マットのうちのいずれかとして使用される。
【００１２】
本発明の他の一例として、バスマット及びタオル並び玄関マットでは、それらが使用者の肌に付着した水分や水滴を吸収したときに、ミョウバン粉末がミョウバン水溶液に変化して収容袋の外面に滲出し、ミョウバン水溶液が使用者の肌に付着し、または、使用者の肌がバスマット及びタオル並び玄関マットに接触したときに、ミョウバン粉末が収容袋の外面に漏出し、ミョウバン粉末が使用者の肌に付着する。
【発明の効果】
【００１３】
本発明に係る吸水・脱臭材によれば、それが珪藻土を粒状に粉砕した吸水性及び脱臭性を有する珪藻土顆粒と珪藻土を粉状に粉砕した吸水性及び脱臭性を有する珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分と、通気性及び透湿性並びに透水性を有して所定量の第１成分と所定量の第２成分とを混合した状態で収納した収納袋とから形成されているから、柔軟性を有し、衝撃が加えられたとしても、その衝撃に対して自由に変形することができ、衝撃に対する破損を防ぐことができる。吸水・脱臭材は、第１成分及び第２成分を収納した収納袋が柔軟性を有するから、吸水・脱臭材の感触が柔らかく、良好な肌触りを有し、使用者に不快な感触を与えることがない。吸水・脱臭材は、吸水性及び脱臭性を有する珪藻土顆粒と吸水性及び脱臭性を有する珪藻土粉末とのうちの少なくとも一方からなる第１成分を含み、優れた吸水性と優れた脱臭性とを有するから、水分や湿気を吸収する吸水材や除湿材として最適に使用することができ、臭気を吸収する脱臭材として最適に使用することができる。吸水・脱臭材は、ミョウバン粉末と酸化亜鉛粉末と酸化銀粉末と酸化チタン粉末とのうちの少なくともミョウバン粉末からなる第２成分を含むから、第２成分の優れた抗菌性や殺菌性、防菌性を利用することで、雑菌を死滅させることができ、雑菌が繁殖することはなく、長期間衛生的に使用することができる。吸水・脱臭材は、珪藻土顆粒と珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分とを収納袋に収納することで作ることができるから、その製造に手間と時間とを要せず、容易に製造することができる。
【００１４】
収納袋に収納された第１成分と第２成分との全重量に対する第１成分の重量割合が８７％〜９３％の範囲にあり、収納袋に収納された第１成分と第２成分との全重量に対する第２成分の重量割合が７％〜１３％の範囲にある吸水・脱臭材は、前記重量割合の第１成分が含まれ、それが優れた吸水性と優れた脱臭性とを有するから、水分や湿気を吸収する吸水材や除湿材として最適に使用することができ、臭気を吸収する脱臭材として最適に使用することができる。吸水・脱臭材は、前記重量割合の第２成分が含まれ、第２成分が優れた抗菌性や殺菌性、防菌性を有するから、雑菌を死滅させることができ、雑菌が繁殖することはなく、長期間衛生的に使用することができる。
【００１５】
粒状のシリカエアロゲル顆粒と粉状のシリカエアロゲル粉末とのうちの少なくとも一方からなる第３成分を含み、第１成分と第２成分と第３成分とが混合された状態で収納袋に収納されている吸水・脱臭材は、第１〜第３成分と所定量の第１〜第３成分を収納した収納袋とから形成されているから、柔軟性を有し、衝撃が加えられたとしても、その衝撃に対して自由に変形することができ、衝撃に対する破損を防ぐことができる。吸水・脱臭材は、第１〜第３成分を収納した収納袋が柔軟性を有するから、吸水・脱臭材の感触が柔らかく、良好な肌触りを有し、使用者に不快な感触を与えることがない。吸水・脱臭材は、吸水性及び脱臭性を有する珪藻土顆粒と吸水性及び脱臭性を有する珪藻土粉末とのうちの少なくとも一方からなる第１成分及びミョウバン粉末と酸化亜鉛粉末と酸化銀粉末と酸化チタン粉末とのうちの少なくともミョウバン粉末からなる第２成分の他に、吸水性や脱臭性を有する粒状のシリカエアロゲル顆粒と粉状のシリカエアロゲル粉末とのうちの少なくとも一方からなる第３成分を含み、第１成分と第３成分とが優れた吸水性と優れた脱臭性とを有するから、水分や湿気を吸収する吸水材や除湿材として最適に使用することができ、臭気を吸収する脱臭材として最適に使用することができる。吸水・脱臭材は、ミョウバン粉末と酸化亜鉛粉末と酸化銀粉末と酸化チタン粉末とのうちの少なくともミョウバン粉末からなる第２成分を含むから、第２成分の優れた抗菌性や殺菌性、防菌性を利用することで、雑菌を死滅させることができ、雑菌が繁殖することはなく、長期間衛生的に使用することができる。吸水・脱臭材は、珪藻土顆粒と珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分と、粒状のシリカエアロゲル顆粒と粉状のシリカエアロゲル粉末とのうちの少なくとも一方からなる第３成分とを収納袋に収納することで作ることができるから、その製造に手間と時間とを要せず、容易に製造することができる。
【００１６】
収納袋に収納された第１成分と第２成分と第３成分との全重量に対する第１成分の重量割合が７２％〜８３％の範囲にあり、収納袋に収納された第１成分と第２成分と第３成分との全重量に対する第２成分の重量割合が７％〜１３％の範囲にあり、収納袋に収納された第１成分と第２成分と第３成分との全重量に対する第３成分の重量割合が１０％〜１５％の範囲にある吸水・脱臭材は、前記重量割合の第１成分及び第３成分が含まれ、それらが優れた吸水性と優れた脱臭性とを有するから、水分や湿気を吸収する吸水材や除湿材として最適に使用することができ、臭気を吸収する脱臭材として最適に使用することができる。吸水・脱臭材は、前記重量割合の第２成分が含まれ、第２成分が優れた抗菌性や殺菌性、防菌性を有するから、雑菌を死滅させることができ、雑菌が繁殖することはなく、長期間衛生的に使用することができる。
【００１７】
収容袋が、通気性、透湿性、透水性を有する繊維不織布から作られた不織布袋と、通気性、透湿性、透水性を有する和紙から作られた和紙袋とのうちの少なくとも一方である吸水・脱臭材は、不織布袋や和紙袋が柔軟性を有し、衝撃が加えられたとしても、その衝撃に対して自由に変形することができ、衝撃に対する破損を防ぐことができる。吸水・脱臭材は、収納袋が不織布袋と和紙袋とのうちの少なくとも一方から作られ、収納袋が柔軟性を有するから、吸水・脱臭材の感触が柔らかく、良好な肌触りを有し、不快な感触を与えることがない。吸水・脱臭材は、収容袋が通気性、透湿性、透水性を有し、収容袋を透過した水分や湿気を第１成分や第３成分に確実に吸収させることができ、収容袋を透過した臭い成分を第１成分や第３成分に確実に吸着させることができるから、水分や湿気を吸収する吸水材や除湿材として最適に使用することができ、臭気を吸収する脱臭材として最適に使用することができる。吸水・脱臭材は、不織布袋や和紙袋に第２成分が収容されているから、第２成分の優れた抗菌性や殺菌性、防菌性を利用することで、雑菌を死滅させることができ、雑菌が繁殖することはなく、長期間衛生的に使用することができる。
【００１８】
吸水・脱臭材が、床に敷かれるバスマット、タオル、玄関に敷かれる玄関マットのうちのいずれかとして使用される吸水・脱臭材は、それが床に敷かれるバスマットとして使用される場合、使用者の体から滴り落ちた水滴や使用者の足裏に付着した水分を素早く吸収することができ、足裏のべたつき感を迅速に除去することができるとともに、水滴や水分に雑菌が含まれていたとしても、ミョウバン粉末と酸化亜鉛粉末と酸化銀粉末と酸化チタン粉末とのうちの少なくともミョウバン粉末からなる第２成分の優れた抗菌性や殺菌性、防菌性を利用することで、バスマットに付着した雑菌を死滅させることができ、雑菌が繁殖することはなく、バスマットを長期間衛生的に使用することができる。吸水・脱臭材は、それがタオルとして使用される場合、使用者の肌に付着した水分を素早く吸収することができ、肌のべたつき感を迅速に除去することができるとともに、水分に雑菌が含まれていたとしても、ミョウバン粉末と酸化亜鉛粉末と酸化銀粉末と酸化チタン粉末とのうちの少なくともミョウバン粉末からなる第２成分の優れた抗菌性や殺菌性、防菌性を利用することで、タオルに付着した雑菌を死滅させることができ、雑菌が繁殖することはなく、タオルを長期間衛生的に使用することができる。なお、ミョウバン粉末が肌に付着することで、ミョウバンのタンパク質を引き締める収れん作用や汗を抑える制汗作用を利用することができる。吸水・脱臭材は、それが玄関に敷かれる玄関マットとして使用される場合、使用者の足裏の水分を素早く吸収することができ、足裏のべたつき感を迅速に除去することができるとともに、水分に雑菌が含まれていたとしても、ミョウバン粉末と酸化亜鉛粉末と酸化銀粉末と酸化チタン粉末とのうちの少なくともミョウバン粉末からなる第２成分の優れた抗菌性や殺菌性、防菌性を利用することで、玄関マットに付着した雑菌を死滅させることができ、雑菌が繁殖することはなく、玄関マットを長期間衛生的に使用することができる。
【００１９】
バスマット及びタオル並び玄関マットにおいて、それらが使用者の肌に付着した水分や水滴を吸収したときに、ミョウバン粉末がミョウバン水溶液に変化して収容袋の外面に滲出し、ミョウバン水溶液が使用者の肌に付着し、または、使用者の肌がそれらに接触したときに、ミョウバン粉末が収容袋の外面に漏出し、ミョウバン粉末が使用者の肌に付着する吸水・脱臭材は、それがバスマットとして使用された場合、使用者の体から滴り落ちた水滴や使用者の足裏に付着した水分をバスマットが吸収したときに、その水滴や水分によってミョウバン粉末が溶けてミョウバン水溶液に変化して収容袋の外面に滲出し、ミョウバン水溶液が使用者の足裏に付着し、または、使用者の足裏がバスマットに接触したときに、微量のミョウバン粉末が収容袋の外面に漏出し、ミョウバン粉末が使用者の足裏に付着するから、水分や水滴に雑菌が含まれていたとしても、ミョウバン粉末の優れた抗菌性や殺菌性、防菌性を利用することで、雑菌を死滅させることができ、雑菌が繁殖することはなく、足裏を清潔に保つことができる。吸水・脱臭材は、それがタオルとして使用された場合、使用者の肌に付着した水滴や水分をタオルが吸収したときに、その水滴や水分によってミョウバン粉末が溶けてミョウバン水溶液に変化して収容袋の外面に滲出し、ミョウバン水溶液が使用者の肌に付着し、または、使用者の肌がタオルに接触したときに、微量のミョウバン粉末が収容袋の外面に漏出し、ミョウバン粉末が使用者の肌に付着するから、水分や水滴に雑菌が含まれていたとしても、ミョウバン粉末の優れた抗菌性や殺菌性、防菌性を利用することで、雑菌を死滅させることができ、雑菌が繁殖することはなく、肌を清潔に保つことができる。なお、ミョウバン粉末が肌に付着することで、ミョウバンのタンパク質を引き締める収れん作用や汗を抑える制汗作用を利用することができる。吸水・脱臭材は、それが玄関マットとして使用された場合、使用者の足裏が玄関マットに接触したときに、微量のミョウバン粉末が収容袋の外面に漏出し、ミョウバン粉末が使用者の足裏に付着するから、足裏に雑菌が付着していたとしても、ミョウバン粉末の優れた抗菌性や殺菌性、防菌性を利用することで、雑菌を死滅させることができ、雑菌が繁殖することはなく、足裏を清潔に保つことができる。
【図面の簡単な説明】
【００２０】
【図１】一例として示す吸水・脱臭材の斜視図。
【図２】図１のＡ−Ａ線矢視断面図。
【図３】一例として示すバスマットの斜視図。
【図４】他の一例として示す吸水・脱臭材の斜視図。
【図５】一例として示すタオルの部分破断斜視図。
【図６】使用状態で示すタオルの斜視図。
【図７】一例として示す玄関マットの部分破断斜視図。
【発明を実施するための形態】
【００２１】
一例として示す吸水・脱臭材１０Ａ，１０Ｂの斜視図である図１等の添付の図面を参照し、本発明に係る吸水・脱臭材の詳細を説明すると、以下のとおりである。なお、図２は、図１のＡ−Ａ線矢視断面図である。図１では、縦方向を矢印Ｘで示し、幅方向を矢印Ｙで示す。一例として示す吸水・脱臭材１０Ａは、収納袋１１と、その収納袋１１の内部に収納された第１成分及び第２成分とから形成される。吸水・脱臭材１０Ａでは、所定量の第１成分と所定量の第２成分とを均一に満遍なく混合した混合物が収納袋１１に収納されている。
【００２２】
収納袋１１には、通気性、透湿性、透水性を有する繊維不織布から作られた不織布袋１２、または、通気性、透湿性、透水性を有する和紙から作られた和紙袋１３が使用される。したがって、収納袋１１は、通気性、透湿性、透水性を有する。なお、収納袋１１が通気性、透湿性、透水性を有する繊維不織布から作られた不織布袋１２と、通気性、透湿性、透水性を有して不織布袋１２の一方の表面全体と他方の表面全体とを包被する和紙から作られた和紙袋１３との複合袋であってもよく、収納袋１１が通気性、透湿性、透水性を有する和紙から作られた和紙袋１３と、通気性、透湿性、透水性を有して和紙袋１３の一方の表面全体と他方の表面全体とを包被する繊維不織布から作られた不織布袋１２との複合袋であってもよい。
【００２３】
第１成分の一例は、珪藻土を粉状に粉砕した吸水性（吸放湿性）及び脱臭性を有する珪藻土粉末である。第１成分の他の一例は、珪藻土を粒状に粉砕した吸水性（吸放湿性）及び脱臭性を有する珪藻土顆粒である。第１成分の他の一例は、珪藻土を粒状に粉砕した吸水性（吸放湿性）及び脱臭性を有する珪藻土顆粒と珪藻土を粉状に粉砕した吸水性（吸放湿性）及び脱臭性を有する珪藻土粉末との混合物である。
【００２４】
第２成分の一例は、粉状に粉砕されたミョウバン粉末である。第２成分の他の一例は、粉状に粉砕されたミョウバン粉末に、粉状に粉砕された酸化亜鉛粉末と粉状に粉砕された酸化銀粉末と粉状に粉砕された酸化チタン粉末とのうちの少なくとも１種類を混合し、ミョウバン粉末と他の粉末とが均一に混合された混合物である。第２成分は、ミョウバン粉末は必須であるが、その他の成分の組み合わせは任意である。ミョウバンは、優れた抗菌性や殺菌性、防菌性を有するとともに、タンパク質を引き締める収れん作用や汗を抑える制汗作用を有する。酸化亜鉛や酸化銀、酸化チタンは、優れた抗菌性や殺菌性、防菌性を有する。
【００２５】
収納袋１１（不織布袋１２、和紙袋１３）の内部には、所定量の珪藻土粉末が収納されるとともに所定量のミョウバン粉末が収容される場合、所定量の珪藻土顆粒が収納されるとともに所定量のミョウバン粉末が収容される場合、珪藻土顆粒と珪藻土粉末とを混合した所定量の珪藻土混合物が収納されるとともに所定量のミョウバン粉末が収容される場合がある。
【００２６】
また、収納袋１１（不織布袋１２、和紙袋１３）の内部には、所定量の珪藻土粉末が収納されるとともにミョウバン粉末に酸化亜鉛粉末と酸化銀粉末と酸化チタン粉末とのうちの少なくとも１種類を混合した所定量の混合粉末が収容される場合、珪藻土顆粒と珪藻土粉末とを混合した所定量の珪藻土混合物が収納されるとともにミョウバン粉末に酸化亜鉛粉末と酸化銀粉末と酸化チタン粉末とのうちの少なくとも１種類を混合した所定量の混合粉末が収容される場合がある。
【００２７】
不織布袋１２を作る通気性、透湿性、透水性を有する繊維不織布には、スパンレース法によって作られたスパンレース不織布やメルトブローン法によって作られたメルトブローン不織布、ＳＭＳ法によって作られたＳＭＳ不織布、フラッシュスパン法によって作られたフラッシュスパン不織布を使用することができる。また、スパンレース不織布やメルトブローン不織布、ＳＭＳ不織布、フラッシュスパン不織布のうちの少なくとも２種類の不織布を少なくとも２層以上に積層した複合不織布を使用することもできる。
【００２８】
繊維不織布には、既述のそれらの他に、サーマルボンド法によって作られたサーマルボンド不織布、ケミカルボンド法によって作られたケミカルボンド不織布、ニードルパンチ法によって作られたニードルパンチ不織布、ステッチボンド法によって作られたステッチボンド不織布を使用することもできる。それら繊維不織布には、ナイロンやポリエステル、ポリプロピレン、キュプラ等を材料とした長繊維から作られ、低発塵であることが好ましい。なお、それら繊維不織布がナイロンやポリエステル、ポリプロピレン、キュプラ等を材料とした短繊維から作られていてもよい。
【００２９】
不織布袋１２は、その平面形状が矩形に成形され、重なり合う繊維不織布どうしがその両端縁部１４及び両側縁部１５（周縁部）に延びる溶着線１６によって接合され、両側縁部１５の間で幅方向へ等間隔離間して縦方向へ直状に延びる溶着線１６によって接合されているとともに、両端縁部１４の間で縦方向へ等間隔離間して幅方向へ直状に延びる溶着線１６によって接合されている。
【００３０】
それら溶着線１６では、ヒートシールやソニックシール等の熱溶着手段によって繊維不織布どうしが溶着している。それら溶着線１６の間には幅方向へ並ぶ複数の収納部１７が形成され、第１成分及び第２成分の混合物がそれら収納部１７に収納されている。収納部１７では、そこに収納された第１成分及び第２成分によってその厚みが増加し、収納部１７が吸水・脱臭材１０Ａの厚み方向へ膨隆している。
【００３１】
なお、繊維不織布どうしがその周縁部（両端縁部１４及び両側縁部１５）のみに延びる溶着線１６によって接合されていてもよく、繊維不織布どうしがその周縁部（両端縁部１４及び両側縁部１５）に延びる溶着線１６と、両側縁部１５の間で幅方向へ等間隔離間して直状に延びる溶着線１６とによって接合されていてもよい。また、繊維不織布どうしがその周縁部（両端縁部１４及び両側縁部１５）に延びる溶着線１６と、両端縁部１４の間で縦方向へ等間隔離間して直状に延びる溶着線１６とによって接合されていてもよい。繊維不織布どうしが縫製によって接合されていてもよい。
【００３２】
和紙袋１３を作る和紙には、通気性、透湿性、透水性を有するものであればその種類に制限はない。和紙は、その平面形状が矩形に成形され、重なり合う和紙どうしがその両端縁部１４及び両側縁部１５（周縁部）に延びる接着線１８に塗布された接着剤（図示せず）によって接着され、両側縁部１５の間で幅方向へ等間隔離間して縦方向へ直状に延びる溶着線１８に塗布された接着剤によって接合されているとともに、両端縁部１４の間で縦方向へ等間隔離間して幅方向へ直状に延びる溶着線１８に塗布された接着剤によって接合されている。
【００３３】
なお、和紙どうしがその周縁部（両端縁部１４及び両側縁部１５）のみに延びる接着線１８に塗布された接着材によって接合されていてもよく、和紙どうしがその周縁部（両端縁部１４及び両側縁部１５）に延びる接着線１８と、両側縁部１５の間で幅方向へ等間隔離間して直状に延びる接着線１８とに塗布された接着剤によって接合されていてもよい。また、和紙どうしがその周縁部（両端縁部１４及び両側縁部１５）に延びる接着線１８と、両端縁部１４の間で縦方向へ等間隔離間して直状に延びる接着線１８とに塗布された接着剤によって接合されていてもよい。和紙どうしが縫製によって接合されていてもよい。
【００３４】
収納袋１１に収納された第１成分と第２成分との全重量に対する第１成分の重量割合は、８７％〜９３％の範囲にある。収納袋１１に収納された第１成分と第２成分との全重量に対する第２成分の重量割合は、７％〜１３％の範囲にある。第１成分の重量割合が８７％未満では、吸水・脱臭材１０Ａの吸水性（吸放湿性）及び脱臭性が低下し、吸水・脱臭材１０Ａの吸水機能や脱臭機能を十分に利用することができない。第２成分の重量割合が７％未満では、吸水・脱臭材１０Ａの抗菌性や殺菌性、防菌性、収れん作用、制汗作用が低下し、吸水・脱臭材１０Ａの抗菌性や殺菌性、防菌性、収れん作用、制汗作用を十分に利用することができない。
【００３５】
吸水・脱臭材１０Ａは、それに前記重量割合の第１成分が含まれ、それが優れた吸水性（吸放湿性）と優れた脱臭性とを有するから、水分や湿気を吸収する吸水材や除湿材として最適に使用することができ、臭気を吸収する脱臭材として最適に使用することができる。吸水・脱臭材１０Ａは、それに前記重量割合の第２成分が含まれ、第２成分が優れた抗菌性や殺菌性、防菌性を有するから、雑菌を死滅させることができ、雑菌が繁殖することはなく、長期間衛生的に使用することができるとともに、ミョウバンの収れん作用や制汗作用を十分に利用することができる。
【００３６】
吸水・脱臭材１０Ａは、それが珪藻土を粒状に粉砕した吸水性（吸放湿性）及び脱臭性を有する珪藻土顆粒と珪藻土を粉状に粉砕した吸水性（吸放湿性）及び脱臭性を有する珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分と、通気性及び透湿性並びに透水性を有して所定量の第１成分と所定量の第２成分とを混合した状態で収納した収納袋１１（不織布袋１２、和紙袋１３）とから形成されているから、吸水・脱臭材１０Ａが柔軟性を有し、吸水・脱臭材１０Ａに衝撃が加えられたとしても、その衝撃に対して自由に変形することができ、衝撃に対する吸水・脱臭材１０Ａの破損を防ぐことができる。
【００３７】
吸水・脱臭材１０Ａは、第１成分及び第２成分を収納した収納袋１１が不織布や和紙から作られ、その収納袋１１が柔軟性を有するから、吸水・脱臭材１０Ａの感触が柔らかく、良好な肌触りを有し、使用者に不快な感触を与えることがない。吸水・脱臭材１０Ａは、吸水性（吸放湿性）及び脱臭性を有する珪藻土顆粒と吸水性（吸放湿性）及び脱臭性を有する珪藻土粉末とのうちの少なくとも一方からなる第１成分を含み、優れた吸水性（吸放湿性）と優れた脱臭性とを有するから、水分や湿気を吸収する吸水材や除湿材として最適に使用することができ、臭気を吸収する脱臭材として最適に使用することができる。
【００３８】
吸水・脱臭材１０Ａは、ミョウバン粉末と酸化亜鉛粉末と酸化銀粉末と酸化チタン粉末とのうちの少なくともミョウバン粉末からなる第２成分を含むから、第２成分の優れた抗菌性や殺菌性、防菌性を利用することで、雑菌を死滅させることができ、雑菌が繁殖することはなく、長期間衛生的に使用することができる。吸水・脱臭材１０Ａは、珪藻土顆粒と珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分とを収納袋１１に収納することで作ることができるから、その製造に手間と時間とを要せず、容易に製造することができる。
【００３９】
他の一例として示す吸水・脱臭材１０Ｂは、収納袋１１と、その収納袋１１の内部に収納された第１成分及び第２成分並びに第３成分とから形成される。収納袋１１や第１成分、第２成分は、吸水・脱臭材１０Ａにおいて説明したそれらと同一である。吸水・脱臭材１０Ｂでは、所定量の第１成分と所定量の第２成分と所定量の第３成分とを均一に満遍なく混合した混合物が収納袋１１に収納されている。収納袋１１では、第１成分及び第２成分並びに第３成分の混合物が各収納部１７に収納され、第１成分及び第２成分並びに第３成分によって収納部１７が吸水・脱臭材１０Ｂの厚み方向へ膨隆している。
【００４０】
第３成分の一例は、粒状の吸水性（吸放湿性）及び脱臭性を有するシリカエアロゲル顆粒である。第３成分の他の一例は、粉状の吸水性（吸放湿性）及び脱臭性を有するシリカエアロゲル粉末である。第３成分の他の一例は、粒状の吸水性（吸放湿性）及び脱臭性を有するシリカエアロゲル顆粒と粉状の吸水性（吸放湿性）及び脱臭性を有するシリカエアロゲル粉末との混合物である。
【００４１】
収納袋１１（不織布袋１２、和紙袋１３）の内部には、所定量の珪藻土粉末が収納され、所定量のミョウバン粉末が収容されるとともに、所定量のシリカエアロゲル粉末が収容される場合、所定量の珪藻土顆粒が収納され、所定量のミョウバン粉末が収容されるとともに、所定量のシリカエアロゲル顆粒が収容される場合、珪藻土顆粒と珪藻土粉末とを混合した所定量の珪藻土混合物が収納され、所定量のミョウバン粉末が収容されるとともに、シリカエアロゲル顆粒とシリカエアロゲル粉末とを混合した混合物が収容される場合がある。
【００４２】
また、収納袋１１（不織布袋１２、和紙袋１３）の内部には、所定量の珪藻土粉末が収納され、ミョウバン粉末に酸化亜鉛粉末と酸化銀粉末と酸化チタン粉末とのうちの少なくとも１種類を混合した所定量の混合粉末が収容されるとともに、所定量のシリカエアロゲル粉末が収容される場合、所定量の珪藻土顆粒が収納され、ミョウバン粉末に酸化亜鉛粉末と酸化銀粉末と酸化チタン粉末とのうちの少なくとも１種類を混合した所定量の混合粉末が収容されるとともに、所定量のシリカエアロゲル顆粒が収容される場合、珪藻土顆粒と珪藻土粉末とを混合した所定量の珪藻土混合物が収納され、ミョウバン粉末に酸化亜鉛粉末と酸化銀粉末と酸化チタン粉末とのうちの少なくとも１種類を混合した所定量の混合粉末が収容されるとともに、シリカエアロゲル顆粒とシリカエアロゲル粉末とを混合した混合物が収容される場合がある。
【００４３】
収納袋１１に収納された第１成分と第２成分と第３成分との全重量に対する第１成分の重量割合は、７２％〜８３％の範囲にある。収納袋１１に収納された第１成分と第２成分と第３成分との全重量に対する第２成分の重量割合は、７％〜１３％の範囲にある。収納袋１１に収納された第１成分と第２成分と第３成分との全重量に対する第３成分の重量割合は、１０％〜１５％の範囲にある。第１成分の重量割合が８７％未満であって第３成分の重量割合が１０％未満では、吸水・脱臭材１０Ｂの吸水性（吸放湿性）及び脱臭性が低下し、吸水・脱臭材１０Ｂの吸水機能や脱臭機能を十分に利用することができない。第２成分の重量割合が７％未満では、吸水・脱臭材１０Ｂの抗菌性や殺菌性、防菌性、収れん作用、制汗作用が低下し、吸水・脱臭材１０Ｂの抗菌性や殺菌性、防菌性、収れん作用、制汗作用を十分に利用することができない。
【００４４】
吸水・脱臭材１０Ｂは、それに前記重量割合の第１成分及び第３成分が含まれ、それらが優れた吸水性（吸放湿性）と優れた脱臭性とを有するから、水分や湿気を吸収する吸水材や除湿材として最適に使用することができ、臭気を吸収する脱臭材として最適に使用することができる。吸水・脱臭材１０Ｂは、それに前記重量割合の第２成分が含まれ、第２成分が優れた抗菌性や殺菌性、防菌性を有するから、雑菌を死滅させることができ、雑菌が繁殖することはなく、長期間衛生的に使用することができるとともに、ミョウバンの収れん作用や制汗作用を十分に利用することができる。
【００４５】
吸水・脱臭材１０Ｂは、それが珪藻土を粒状に粉砕した吸水性（吸放湿性）及び脱臭性を有する珪藻土顆粒と珪藻土を粉状に粉砕した吸水性（吸放湿性）及び脱臭性を有する珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分と、吸水性（吸放湿性）及び脱臭性を有する粒状のシリカエアロゲル顆粒と吸水性（吸放湿性）及び脱臭性を有する粉状のシリカエアロゲル粉末とのうちの少なくとも一方からなる第３成分と、通気性及び透湿性並びに透水性を有して所定量の第１成分と所定量の第２成分と所定量の第３成分とを混合した状態で収納した収納袋１１（不織布袋１２、和紙袋１３）とから形成されているから、吸水・脱臭材１０Ｂが柔軟性を有し、吸水・脱臭材１０Ｂに衝撃が加えられたとしても、その衝撃に対して自由に変形することができ、衝撃に対する吸水・脱臭材１０Ｂの破損を防ぐことができる。
【００４６】
吸水・脱臭材１０Ｂは、第１成分及び第２成分並びに第３成分を収納した収納袋１１が不織布や和紙から作られ、その収納袋１１が柔軟性を有するから、吸水・脱臭材１０Ｂの感触が柔らかく、良好な肌触りを有し、使用者に不快な感触を与えることがない。吸水・脱臭材１０Ｂは、吸水性（吸放湿性）及び脱臭性を有する珪藻土顆粒と吸水性（吸放湿性）及び脱臭性を有する珪藻土粉末とのうちの少なくとも一方からなる第１成分を含むとともに、吸水性（吸放湿性）や脱臭性を有する粒状のシリカエアロゲル顆粒と吸水性（吸放湿性）や脱臭性を有する粉状のシリカエアロゲル粉末とのうちの少なくとも一方からなる第３成分を含み、優れた吸水性（吸放湿性）と優れた脱臭性とを有するから、水分や湿気を吸収する吸水材や除湿材として最適に使用することができ、臭気を吸収する脱臭材として最適に使用することができる。
【００４７】
吸水・脱臭材１０Ｂは、ミョウバン粉末と酸化亜鉛粉末と酸化銀粉末と酸化チタン粉末とのうちの少なくともミョウバン粉末からなる第２成分を含むから、第２成分の優れた抗菌性や殺菌性、防菌性を利用することで、雑菌を死滅させることができ、雑菌が繁殖することはなく、長期間衛生的に使用することができる。吸水・脱臭材１０Ｂは、珪藻土顆粒と珪藻土粉末とのうちの少なくとも一方からなる第１成分と、ミョウバン粉末と酸化亜鉛粉末と酸化銀粉末と酸化チタン粉末とのうちの少なくともミョウバン粉末からなる第２成分と、粒状のシリカエアロゲル顆粒と粉状のシリカエアロゲル粉末とのうちの少なくとも一方からなる第３成分とを収納袋１１に収納することで作ることができるから、その製造に手間と時間とを要せず、容易に製造することができる。
【００４８】
図３は、一例として示すバスマット１９の断斜視図である。バスマット１９は、第１成分と第２成分との混合物を収納袋１１に収納した吸水・脱臭材１０Ａと、第１成分と第２成分と第３成分との混合物を収納袋１１に収納した吸水・脱臭材１０Ｂとのうちのいずれかから作られている。バスマット１９では、吸水・脱臭材１０Ａ，１０Ｂを形成する収納袋１１の一方の表面全体及び他方の表面全体（外表面全体）が織物または編み物製の布袋２０（収納袋１１をその内部に収容した布袋２０）に包被されている（覆われている）。
【００４９】
バスマット１９は、その平面形状が一方向へ長い長方形に成形されている。布袋２０は、一方の側部と両端部とが縫製によって接合されている。布袋２０の他方の側部には、スライダーを備えた線ファスナーが取り付けられている。バスマット１９では、収納袋１１（不織布袋１２、和紙袋１３）が布袋２０の内部に挿脱可能に収容されている。なお、バスマット１９の平面形状に特に限定はなく、平面形状を円形や楕円形、星形等のあらゆる形状にすることができる。また、バスマット１９の大きさや厚みについても特に制限はない。さらに、線ファスナーの他に、フックとループとを備えたメカニカルファスナを布袋２０の他方の側部に取り付け、メカニカルファスナを利用して布袋２０の他方の側部を開閉することもできる。
【００５０】
バスマット１９は、脱衣場の床（床面）に載置されて床に敷かれ、その上（布袋２０の生地の上）を人（使用者）の足が位置する。バスマット１９では、その上に位置する人の体に付着した水滴がバスマット１９の上に落ちると、その水滴や人の足裏に付着した水分が布袋２０の生地及び収納袋１１（不織布袋１２、和紙袋１３）の生地を通過し、第１成分と第２成分との混合物、あるいは、第１成分と第２成分と第３成分との混合物に吸収保持される。バスマット１９は、人の体から滴り落ちた水滴や足裏に付着した水分がバスマット１９の外側に漏れ出すことはなく、人の体から滴り落ちた水滴や人の足裏に付着した水分の水切りを行うことができる。
【００５１】
バスマット１９は、人（使用者）の体から滴り落ちた水滴や人の足裏に付着した水分をバスマット１９（吸水・脱臭材１０Ａ，１０Ｂ）が吸収したときに、その水滴や水分によってミョウバン粉末が溶けてミョウバン水溶液に変化して収容袋１１の外面に滲出し、微量のミョウバン水溶液が人の足裏に付着し、または、人の足裏がバスマット１９（吸水・脱臭材１０Ａ，１０Ｂ）に接触したときに、微量のミョウバン粉末が収容袋１１の外面に漏出し、そのミョウバン粉末が人の足裏に付着する。なお、バスマット１９では、第１成分が水滴や水分を素早く吸収することから、収容袋１１の外面に滲出するミョウバン水溶液の量は少なく、微量のミョウバン水溶液が収容袋１１の外面に滲出し、その微量のミョウバン水溶液が人の足裏に付着し、さらに、ミョウバン水溶液の水分が第１成分に吸収されることで、微量のミョウバンのみが人の足裏に残存する。
【００５２】
水分を吸収保持したバスマット１９は、それを干すことで水分がバスマット１９（吸水・脱臭材１０Ａ，１０Ｂ）から外部に放出され、バスマット１９が乾燥する。バスマット１９は、それを干して乾燥させることで繰り返し使用することができる。なお、複数回の使用で布袋２０が汚れた場合、布袋２０の他方の側部に取り付けられた線ファスナーのスライダーをスライドさせて（引き下げて）布袋２０の他方の側部を開放し、布袋２０の他方の側部から収納袋１１（不織布袋１２、和紙袋１３）を取り出し、収納袋１１と布袋２０とを分離して布袋２０を洗濯する。洗濯した布袋２０の他方の側部から収納袋１１（不織布袋１２、和紙袋１３）を挿入し、収納袋１１を布袋２０の内部に収容した後、スライダーをスライドさせて（引き上げて）布袋２０の他方の側部を閉める。バスマット１９は、布袋２０が汚れた場合、布袋２０を洗濯することで布袋２０の汚れを落とすことができるから、バスマット１９を清潔な状態で使用することができる。
【００５３】
吸水・脱臭材１０Ａ，１０Ｂを利用したバスマット２９は、人（使用者）の体から滴り落ちた水滴や人の足裏に付着した水分が吸水・脱臭材１０Ａ，１０Ｂの第１成分や第３成分に吸収保持されるから、足裏のべたつき感を迅速に除去することができ、人の体から滴り落ちた水滴や人の足裏に付着した水分が周囲に散らばることはなく、人の体に付着した水滴や足裏に付着した水分の床面への散在を防ぐことができ、床面の美感や清潔感を保持することができる。
【００５４】
吸水・脱臭材１０Ａ，１０Ｂを利用したバスマット１９は、ミョウバン粉末と酸化亜鉛粉末と酸化銀粉末と酸化チタン粉末とのうちの少なくともミョウバン粉末からなる第２成分を含むから、第２成分の優れた抗菌性や殺菌性、防菌性を利用することで、雑菌を死滅させることができ、雑菌が繁殖することはなく、長期間衛生的に使用することができる。
【００５５】
吸水・脱臭材１０Ａ，１０Ｂを利用したバスマット１９は、人（使用者）の体から滴り落ちた水滴や人の足裏に付着した水分をバスマット１９が吸収したときに、その水滴や水分によってミョウバン粉末が溶けてミョウバン水溶液に変化して収容袋の外面に滲出し、ミョウバン水溶液が使用者の足裏に付着し、または、人の足裏がバスマット１９に接触したときに、微量のミョウバン粉末が収容袋１１の外面に漏出し、ミョウバン粉末が足裏に付着するから、水分や水滴に雑菌が含まれていたとしても、ミョウバン粉末の優れた抗菌性や殺菌性、防菌性を利用することで、雑菌を死滅させることができ、雑菌が繁殖することはなく、足裏（肌）を清潔に保つことができる。
【００５６】
図４は、他の一例として示す吸水・脱臭材１０Ａ，１０Ｂの斜視図であり、図５は、一例として示すタオル２１の斜視図である。図６は、使用状態で示すタオル２１の斜視図である。図６では  、タオル２１がタオル掛け２２に掛けられている。タオル２１は、第１成分と第２成分との混合物を収納袋１１に収納した吸水・脱臭材１０Ａと、第１成分と第２成分と第３成分との混合物を収納袋１１に収納した吸水・脱臭材１０Ｂとのうちのいずれかから作られている。タオル２１では、吸水・脱臭材１０Ａ，１０Ｂを形成する収納袋１１の一方の表面全体及び他方の表面全体（外表面全体）が織物または編み物製の布袋２０（収納袋１１をその内部に収容した布袋２０）に包被されている（覆われている）。
【００５７】
タオル２１は、その平面形状が一方向へ長い長方形に成形されている。布袋２０は、一方の側部と両端部とが縫製によって接合されている。布袋２０の他方の側部には、スライダーを備えた線ファスナーが取り付けられている。タオル２１では、収納袋１１（不織布袋１２、和紙袋１３）が布袋２０の内部に挿脱可能に収容されている。なお、タオル２１の平面形状に特に限定はなく、平面形状を正四角形や円形、楕円形等のあらゆる形状にすることができる。また、タオル２１の長さや厚みについても特に制限はない。さらに、線ファスナーの他に、フックとループとを備えたメカニカルファスナを布袋２０の他方の側部に取り付け、メカニカルファスナを利用して布袋２０の他方の側部を開閉することもできる。
【００５８】
タオル２１は、タオル掛け２２に掛けられ、図６に示すように、人（使用者）が水に濡れた手を拭く。または、タオル掛け２２からタオル２１を取り外し、タオル２１によって人が水に濡れた頭や顔、体を拭く。タオル２１では、水に濡れた人の手や頭、顔、体が接触すると、手や頭、顔、体に付着した水滴や水分が布袋２０の生地及び収納袋１１（不織布袋１２、和紙袋１３）の生地を通過し、第１成分と第２成分との混合物、あるいは、第１成分と第２成分と第３成分との混合物に吸収保持される。タオル２１は、人の手や頭、顔、体に付着した水滴や水分がタオル２１バスマット１９の外側に漏れ出すことはなく、手や頭、顔、体に付着した水滴や水分の水切りを行うことができる。
【００５９】
タオル２１は、手や頭、顔、体に付着した水滴や水分をタオル２１（吸水・脱臭材１０Ａ，１０Ｂ）が吸収したときに、その水滴や水分によってミョウバン粉末が溶けてミョウバン水溶液に変化して収容袋１１の外面に滲出し、微量のミョウバン水溶液が人の手や頭、顔、体に付着し、または、人の手や頭、顔、体がタオル２１（吸水・脱臭材１０Ａ，１０Ｂ）に接触したときに、微量のミョウバン粉末が収容袋１１の外面に漏出し、そのミョウバン粉末が人の手や頭、顔、体に付着する。なお、タオル２１では、第１成分が水滴や水分を素早く吸収することから、収容袋１１の外面に滲出するミョウバン水溶液の量は少なく、微量のミョウバン水溶液が収容袋１１の外面に滲出し、その微量のミョウバン水溶液が人の手や頭、顔、体に付着し、さらに、ミョウバン水溶液の水分が第１成分に吸収されることで、微量のミョウバンのみが人の手や頭、顔、体に残存する。
【００６０】
水分を吸収保持したタオル２１は、それを干すことで水分がタオル２１（吸水・脱臭材１０Ａ，１０Ｂ）から外部に放出され、タオル２１が乾燥する。タオル２１は、それを干して乾燥させることで繰り返し使用することができる。なお、複数回の使用で布袋２０が汚れた場合、布袋２０の他方の側部に取り付けられた線ファスナーのスライダーをスライドさせて（引き下げて）布袋２０の他方の側部を開放し、布袋２０の他方の側部から収納袋１１（不織布袋１２、和紙袋１３）を取り出し、収納袋１１と布袋２０とを分離して布袋２０を洗濯する。洗濯した布袋２０の他方の側部から収納袋１１（不織布袋１２、和紙袋１３）を挿入し、収納袋１１を布袋２０の内部に収容した後、スライダーをスライドさせて（引き上げて）布袋２０の他方の側部を閉める。タオル２１は、布袋２０が汚れた場合、布袋２０を洗濯することで布袋２０の汚れを落とすことができるから、タオル２１を清潔な状態で使用することができる。
【００６１】
吸水・脱臭材１０Ａ，１０Ｂを利用したタオル２１は、人（使用者）の手や頭、顔、体に付着した水滴や水分が吸水・脱臭材１０Ａ，１０Ｂの第１成分や第３成分に吸収保持されるから、手や頭、顔、体のべたつき感を迅速に除去することができ、人の手や頭、顔、体に付着した水滴や水分が周囲に散らばることはなく、人の手や頭、顔、体に付着した水滴や水分の床面や壁面への散在を防ぐことができ、床面や壁面の美感や清潔感を保持することができる。
【００６２】
吸水・脱臭材１０Ａ，１０Ｂを利用したタオル２１は、ミョウバン粉末と酸化亜鉛粉末と酸化銀粉末と酸化チタン粉末とのうちの少なくともミョウバン粉末からなる第２成分を含むから、第２成分の優れた抗菌性や殺菌性、防菌性を利用することで、雑菌を死滅させることができ、雑菌が繁殖することはなく、長期間衛生的に使用することができる。
【００６３】
吸水・脱臭材１０Ａ，１０Ｂを利用したタオル２１は、人（使用者）の手や頭、顔、体に付着した水滴や水分をタオル２１が吸収したときに、その水滴や水分によってミョウバン粉末が溶けてミョウバン水溶液に変化して収容袋の外面に滲出し、ミョウバン水溶液が使用者の足裏に付着し、または、人の手や頭、顔、体がタオル２１に接触したときに、微量のミョウバン粉末が収容袋１１の外面に漏出し、ミョウバン粉末が人の手や頭、顔、体に付着するから、水分や水滴に雑菌が含まれていたとしても、ミョウバン粉末の優れた抗菌性や殺菌性、防菌性を利用することで、雑菌を死滅させることができ、雑菌が繁殖することはなく、人の手や頭、顔、体（肌）を清潔に保つことができる。また、タオル２１は、ミョウバン水溶液やミョウバン粉末が人の手や頭、顔、体（肌）に付着することで、ミョウバンのタンパク質を引き締める収れん作用や汗を抑える制汗作用を利用することができる。
【００６４】
図７は、一例として示す玄関マット２３の斜視図である。玄関マット２３は、第１成分と第２成分との混合物を収納袋１１に収納した吸水・脱臭材１０Ａと、第１成分と第２成分と第３成分との混合物を収納袋１１に収納した吸水・脱臭材１０Ｂとのうちのいずれかから作られている。玄関マット２３では、吸水・脱臭材１０Ａ，１０Ｂを形成する収納袋１１の一方の表面全体及び他方の表面全体（外表面全体）が織物または編み物製の布袋２０（収納袋１１をその内部に収容した布袋２０）に包被されている（覆われている）。
【００６５】
玄関マット２３は、その平面形状が一方向へ長い長方形に成形されている。布袋２０は、一方の側部と両端部とが縫製によって接合されている。布袋２０の他方の側部には、スライダーを備えた線ファスナーが取り付けられている。玄関マット２３では、収納袋１１（不織布袋１２、和紙袋１３）が布袋２０の内部に挿脱可能に収容されている。なお、玄関マット２３の平面形状に特に限定はなく、平面形状を六角形や円形や楕円形等のあらゆる形状にすることができる。また、玄関マット２３の大きさや厚みについても特に制限はない。さらに、線ファスナーの他に、フックとループとを備えたメカニカルファスナを布袋２０の他方の側部に取り付け、メカニカルファスナを利用して布袋２０の他方の側部を開閉することもできる。
【００６６】
玄関マット２３は、玄関の床（床面）に載置されて玄関に敷かれ、その上（布袋２０の生地の上）を人（使用者）の足が位置する。玄関マット２３では、その上に位置する人の足裏に付着した水分や足裏から発生する水蒸気が布袋２０の生地及び収納袋１１（不織布袋１２、和紙袋１３）の生地を通過し、第１成分と第２成分との混合物、あるいは、第１成分と第２成分と第３成分との混合物に吸収保持され、水分が玄関マット２３の外側に漏れ出すことはない。玄関マット２３は、人（使用者）の足裏が玄関マット２３（吸水・脱臭材１０Ａ，１０Ｂ）に接触したときに、微量のミョウバン粉末が収容袋１１の外面に漏出し、そのミョウバン粉末が人の足裏に付着する。
【００６７】
水分を吸収保持した玄関マット２３は、それを干すことで水分が玄関マット２３（吸水・脱臭材１０Ａ，１０Ｂ）から外部に放出され、玄関マット２３が乾燥する。玄関マット２３は、それを干して乾燥させることで繰り返し使用することができる。なお、複数回の使用で布袋２０が汚れた場合、布袋２０の他方の側部に取り付けられた線ファスナーのスライダーをスライドさせて（引き下げて）布袋２０の他方の側部を開放し、布袋２０の他方の側部から収納袋１１（不織布袋１２、和紙袋１３）を取り出し、収納袋１１と布袋２０とを分離して布袋２０を洗濯する。洗濯した布袋２０の他方の側部から収納袋１１（不織布袋１２、和紙袋１３）を挿入し、収納袋１１を布袋２０の内部に収容した後、スライダーをスライドさせて（引き上げて）布袋２０の他方の側部を閉める。玄関マット２３は、布袋２０が汚れた場合、布袋２０を洗濯することで布袋２０の汚れを落とすことができるから、玄関マット２３を清潔な状態で使用することができる。
【００６８】
吸水・脱臭材１０Ａ，１０Ｂを利用した玄関マット２３は、人（使用者）の足裏に付着した水分や足裏から発生する水蒸気が吸水・脱臭材１０Ａ，１０Ｂの第１成分や第３成分に吸収保持されるから、足裏のべたつき感を迅速に除去することができる。
【００６９】
吸水・脱臭材１０Ａ，１０Ｂを利用した玄関マット２３は、ミョウバン粉末と酸化亜鉛粉末と酸化銀粉末と酸化チタン粉末とのうちの少なくともミョウバン粉末からなる第２成分を含むから、第２成分の優れた抗菌性や殺菌性、防菌性を利用することで、雑菌を死滅させることができ、雑菌が繁殖することはなく、長期間衛生的に使用することができる。
【００７０】
吸水・脱臭材１０Ａ，１０Ｂを利用した玄関マット２３は、人の足裏がバスマット１９に接触したときに、微量のミョウバン粉末が収容袋１１の外面に漏出し、ミョウバン粉末が足裏に付着するから、足裏に雑菌が付着していたとしても、ミョウバン粉末の優れた抗菌性や殺菌性、防菌性を利用することで、雑菌を死滅させることができ、雑菌が繁殖することはなく、足裏（肌）を清潔に保つことができる。
【符号の説明】
【００７１】
１０Ａ  吸水・脱臭材
１０Ｂ  吸水・脱臭材
１１    収納袋
１２    不織布袋
１３    和紙袋
１４    両端縁部
１５    両側縁部
１６    溶着線
１７    収容部
１８    接着線
１９    バスマット
２０    布袋
２１    タオル
２２    タオル掛け
２３    玄関マット
【図１】
2019188356.tif 000003
【図２】
2019188356.tif 000004
【図３】
2019188356.tif 000005
【図４】
2019188356.tif 000006
【図５】
2019188356.tif 000007
【図６】
2019188356.tif 000008
【図７】
2019188356.tif 000009